(57)【要約】【課題】　本発明の目的は、前方発光エレクトロルミネッセンスパネルにおけるパネルの表面全体にわたって吸収剤の不均一な分配問題を解決する、密封空間を保持し密封する、オブザーバーに面する正面プレート及び背面プレートである２つのプレートと、正面プレートにより発光可能で、それらプレート間に分配されているセルのアレイと、密封空間に存在する活性な吸収剤と、を備えてなる画像ディスプレイ及び／又は発光パネルを提供することを目的とする。【解決手段】　前方発光型有機発光ダイオードタイプの画像ディスプレイパネルは、オブザーバーと面する正面プレート１０６の内部表面上に、発光セル間に分配され、特に、有機エレクトロルミネッセンスセル１０２を劣化しがちな少量の酸素及び／又は水蒸気を吸収することを目的とする吸収剤１０８を含有する孔又は溝１０７のアレイを備える。それによって、パネルの有効寿命は改善される。【選択図】　図４ 
2004139987.tif 000002
【特許請求の範囲】
【請求項１】
　画像ディスプレイ及び／又は発光パネルであって、
　−密封空間（１１１）を保持し密封する、オブザーバーに面する正面プレート（１０６）及び背面プレートである２つのプレートと、
　−前記正面プレート（１０６）により発光可能で、前記プレート間に分配される、エレクトロルミネッセンスセルのアレイと、
　−前記密封空間（１１１）内の活性な吸収剤（１０８）と、を備えて成り、
前記正面プレート（１０６）が、前記密封空間（１１１）と接触する面に対応する前記プレートの内部表面で、前記セル間に分配され、且つ、前記吸収剤（１０８）を含有する孔（１０７）のアレイを有することを特徴とする、画像ディスプレイ及び／又は発光パネル。
【請求項２】
　前記孔（１０７）は溝を形成することを特徴とする請求項１に記載の画像ディスプレイ及び／又は発光パネル。
【請求項３】
　前記セルが列及びカラムに分配される場合、前記溝（１０７）の各々は、２つの隣接する列間及び／又は２つの隣接するカラム間に配置されることを特徴とする請求項２に記載の画像ディスプレイ及び／又は発光パネル。
【請求項４】
　前記溝（１０７）は、前記セルのアレイによって確定される前記表面の幅全体にわたって延在することを特徴とする請求項２又は３に記載の画像ディスプレイ及び／又は発光パネル。
【請求項５】
　前記セルの各々は、前記背面プレートに留まる有機エレクトロルミネッセンス層（１０２）を含むことを特徴とする前述までのいずれか一項に記載のパネル。
【請求項６】
　前記吸収剤（１０８）は、酸素及び／又は水蒸気の吸収に適していることを特徴とする前述までのいずれか一項に記載の画像ディスプレイ及び／又はパネル。
【発明の詳細な説明】
【技術分野】
【０００１】
　本発明は、密封空間を保持し密封する、オブザーバーに面する正面プレート及び背面プレートである２つのプレートと、正面プレートにより発光可能で、それらプレート間に分配されたセルのアレイと、密封空間に存在する活性な吸収剤と、を備えて成る画像ディスプレイ及び／又は発光パネルに関する。
【背景技術】
【０００２】
　パネルのセルが密封空間の大気と平衡である有機エレクトロルミネッセンス層を含む、上に記載のタイプのパネルがある（例えば、特許文献１を参照。）。このエレクトロルミネッセンス層が有機であるために、特に、かかる空間における少量の酸素及び／又は水蒸気に対しても敏感である。酸素及び／又は水蒸気は、有機エレクトロルミネッセンス層の構成物質を妨害し、且つ、劣化させ、特にその発光性能を妨害及び劣化して、ディスプレイの品質及び／又はパネルの有効寿命を短縮する。
【０００３】
　特許文献１において、正面プレート（特許文献１の図４の参照番号１２）は、エレクトロルミネッセンス層における基板としての役割をして、吸収剤（特許文献１の図４の参照番号５０）はケースの外部分としての役割をする、背面プレートの表面にわたって均一に分配される。放射された光が基板を通過するので、このタイプのセルは、通常、“後方発光（back-emitting）”と呼ばれる。対照的に、従来技術において、放射された光は基板により通過しないが、それに対して、基板とは反対側のプレートにより通過することを意味する、“前方発光（top-emitting）”とセルが呼ばれるパネルが存在している。この場合、特許文献１のような反対のプレートにおける吸収剤の存在は、放射された光の通過を妨害し、パネルの発光効率を著しいほど減少する。
【０００４】
　特許文献１のように背面プレートの表面にわたって均一に分配されているのではなく、吸収剤が該背面プレートの全表面上に分配された溝に分配されている、後方発光パネルがある（例えば、特許文献２を参照。）が、このような解決策は、前方発光パネルの吸収剤の分配問題を解決しない。
【０００５】
　最後に、透明な正面プレートは周囲のまわりの単一の溝を含み、かかる溝はアクティブ又は発光表面から離れて位置し、吸収剤を含有している、前方発光エレクトロルミネッセンスパネルがある（例えば、特許文献３及び４）。このような解決策の問題点は、パネルの全表面上における吸収剤の均質な分配を保証せず、これは、２０ｃｍを超過する対角線を備えるような大型パネルの場合には特に不利益となることである。
【特許文献１】欧州特許第１　１４３　５３９号明細書
【特許文献２】米国特許出願公開第２００２／０６０６５４号明細書
【特許文献３】米国特許第５，２３９，２２８号明細書
【特許文献４】特開２００２−０５０４７１号公報
【発明の開示】
【発明が解決しようとする課題】
【０００６】
　本発明の目的は、前方発光パネルの場合における上に記載した問題点を回避することである。
【課題を解決するための手段】
【０００７】
　この目的のために、本発明の主題は、密封空間を保持し密封する、オブザーバーに面する正面プレート及び背面プレートである２つのプレートと、正面プレートにより発光可能で、それらプレート間に分配されているセルのアレイと、密封空間に存在する活性な吸収剤と、を備えてなる画像ディスプレイ及び／又は発光パネルであって、かかる正面プレートが、密封空間と接触する面に対応する内部表面で、セル間に分配され、且つ、吸収剤を含有する孔のアレイを有することを特徴とする、画像ディスプレイ及び／又は発光パネルである。
【０００８】
　したがって、孔を有するプレートは正面プレートであり、かかる正面プレートはエレクトロルミネッセンス層と接触しない。この正面プレートは、少なくとも各セルにおいて透明であり、したがって、パネルは前方発光パネルであり、吸収剤が、特に非発光性領域のセル間に分配されるので、正面プレートはエレクトロルミネッセンス層と相互作用せず、正面プレートによる光の通過を妨害しない。分離障壁が存在すれば、吸収剤は障壁上部に位置し、それらの近接のために、例えば、分離障壁の構成物質における任意のガス放出に起因する、少量の酸素又は水蒸気を吸収する。
【０００９】
　本発明は、例えば、少量の酸素又は水蒸気によって、特に非発光性領域と反対の発光セル間に吸収剤を挿入することを提案することで、発光セルの劣化問題を解決する。したがって、各孔は２つの隣接する発光セル間に位置する。
【００１０】
　分離障壁（さらに、陰極セパレータと呼ばれる）は、一般的には、各発光セル間に位置し、発光を生じるために電気的なパルスが各セルで発生するように分離障壁は位置され、発光自身は近接のセルに到達しない。したがって、かかる障壁は電気的で、且つ、光学的な絶縁物質から成るべきである。
【００１１】
　分離障壁がセル間に存在する場合、本発明によると、吸収剤は特開平１１−０５４２８５号公報のように障壁に組み込まれず、したがって、吸収剤はその組成及び特徴を変化する危険性はなく、エレクトロルミネッセンス層と相互作用し、且つ、劣化する危険性もない。
【００１２】
　好ましくは、各セルは背面プレートに保持している有機エレクトロルミネッセンス層を含む。前方発光パネルは、光抽出装置の使用において特に有用である。
【００１３】
　好ましくは、吸収剤は酸素及び／又は水蒸気を吸収するために適しているだろう。
【００１４】
　本発明の変形によると、孔は溝から成り、結果として、発光セル間に位置することが有利であり、溝の規模は、少量の酸素及び／又は水蒸気に対して感受性を有する領域で多少量の吸収剤を含有するように調節されてよい。
【００１５】
　一般的に、発光セルが列とカラムで分配されるので、好ましくは、各溝は、２つの隣接する列間及び／又は２つの隣接するカラム間に位置する。したがって、溝に含有される吸収剤は、正面プレートによる光の通過を妨害せずに、吸収剤の作用を必要とする空間で有利に位置し活性である。
【００１６】
　セルのアレイによって確定される表面は、パネルのアクティブな発光表面を構成し、本発明によると、溝は、パネルの正面プレートの内部表面において垂直及び／又は水平方向で、かかる表面の全体の幅にわたって延在する。有利に、垂直且つ水平な溝のチェッカーボード配置の手段によって、各溝はセルの２つの隣接するカラム又は２つの隣接する列間に位置し、溝に含有される吸収剤は、正面プレートの全体の内部表面上において非常に均一で非常に均質な手法で分配される。
【００１７】
　好ましくは、正面プレートはガラスからなり、ガラスは酸素及び／又は水蒸気に対して不透性を有利に提供し、さらに孔若しくは溝を、プレートの製造の初期段階において吸収剤で孔又は溝を満たすために、周知な標準的なリソグラフィー手段によって、若しくはサンドブラスト法或いは成型によって、切断することが可能であり、したがって、生産費の著しい増加を招かないだけでなく、さらに有機エレクトロルミネッセンスセル又はＯＬＥＤｓ（有機発光ダイオード）のマトリックスを含んでいる背面プレートを製造する工程の任意の変更も招かない。
【００１８】
　孔又は溝に含有される吸収剤は、好ましくは、正面プレートの内部表面における表面のすべて又は表面の部分に適用される多孔性で透明な接着フィルムの手段によって、その孔又は溝に固定されて維持される。密封空間で吸収剤の作用を実行するように吸収剤を未だ許容する一方で、かかるフィルムは、フィルムが占有している孔又は溝に吸収剤を適所に有利に保持する。
【００１９】
　好ましくは、密封空間は、例えば、有機エレクトロルミネッセンスセルに含まれるもの以外の有機物質などの汚染物質の形成又は増殖を避けるように、不活性ガスで満たされる。
【発明の効果】
【００２０】
　本発明の効果は、正面プレートがオブザーバー及び背面プレートに面しており、それらプレート間に密封空間を保持して密封されている２つのプレートと、正面プレートにより発光可能で、それらプレート間に分配されているセルのアレイと、密封空間に存在する活性な吸収剤と、を備えてなる画像ディスプレイ及び／又は発光パネルを提供することができる。
【発明を実施するための最良の形態】
【００２１】
　本発明は、添付図を参照して、限定しない実施例の手法によって与えられる、本明細書を読み込むことによって、さらに明確に理解されるであろう。
【００２２】
　エレクトロルミネッセンスパネルは、基板に配置される、ピクセル又は画素と呼ばれる、発光セル又は発光ダイオードの配置から形成される。一般的に、ピクセルのこの配置は、列とカラムのマトリックスで組織されて、各ピクセルは列とカラムの交点に位置している。発光の強度及び持続は、これより後には記載されない、周知のパッシブ又はアクティブな手段によって制御されてよい。
【００２３】
　現在において、発光表面の特性によって識別される、３分類のエレクトロルミネッセンスセルがあり、それらは、ＬＥＤｓ（発光ダイオード）と、ＰＬＥＤｓ（ポリマー発光ダイオード）と、ＯＬＥＤｓ（有機発光ダイオード）とである。それらのエレクトロルミネッセンスパネルは同一原理に基づいており、その原理は、それらのパネル自体が、放射電荷担体の再結合現象によってパネル自身で光を生成し、次いで、使用される物質に依存する放射周波数で光子が放射されるという原理である。
【００２４】
　ＬＥＤセルは無機の半導体物質から成り、ＰＬＥＤセルはポリマータイプの有機物質から成り、ＯＬＥＤは低分子量の有機物質から成る。
【００２５】
　したがって、エレクトロルミネッセンスパネルは、一般的に、セルを供給するために目的とされた、一つのアレイが陽極で、もう一方のアレイが陰極である、これら電極の２つのアレイ間に挿入された薄いエレクトロルミネッセンスの多層を支持する基板を含む。各セルは、一般的に、陽極と陰極の重なる領域に対応しており、特に三色である、多色のパネルにおいて、一般的に、薄いエレクトロルミネッセンス層は、異なる発光色の交互のストライプに分割される。
【００２６】
　一般的に、ガラス又はプラスチックから成る基板は、典型的には、３００μｍ乃至１５００μｍ間の厚さを有し、つまり、セルの厚さの１００乃至５００倍も厚く、セル又はピクセルの長さ又は直径は、一般的に１００μｍ乃至３００μｍ間であり、つまり、基板の厚さよりも１乃至１５倍薄い。基板とエレクトロルミネッセンス層との間に挿入された電極の層は、従来の製造技術においてエレクトロルミネッセンス層の前に適用されるので、一般的に、“最下層”と呼ばれる。電極のもう一つの層、いわゆる、エレクトロルミネッセンス層の後に適用された層は、“最上層”と呼ばれる。一般的に、電極の最上層のストライプは平行であり、エレクトロルミネッセンス層の中心であり、少なくとも部分的に覆っている。
【００２７】
　“前方発光”パネルにおいて、電極の最上層により発光される。
【００２８】
　したがって、本発明によるパネルは、
　−密封空間を保持し密封する、オブザーバーに面する正面プレート及び背面プレートである２つのプレートと、正面プレートにより発光可能で、それらプレート間に分配されるエレクトロルミネッセンスセルのアレイと、を有し、
　−２つのプレートの少なくとも一つは、密封空間と接触するその内部表面で、セル間に分配され、且つ、密封空間に活性な吸収剤を含有する孔のアレイを有することを特徴とするパネルである。
【００２９】
　前方発光パネルにおける背面プレートのセルのアレイの製造は、図１では、分離障壁を備えず、図２では分離障壁を備えて、それぞれ図１及び２を参照して記載されるであろう。孔のアレイは正面プレートの内部表面において本発明に特異的であり、かかるセルが含む吸収剤は下記に記載されるであろう。
【００３０】
　図１を参照するに、分離障壁を備えない、“前方発光”パネルの背面プレートのセルの第一アレイは、電極１０１の最下層が一般的に不透明で、好ましくは反射性であり、基板に配置されている、基板１００から成り、最下層は平行な陰極を形成するストライプを形成するようにエッチングされる。かかるストライプは、例えば、反射効果を提供するフッ化リチウム（ＬｉＦ）に基づくサブ層及びアルミニウムに基づくサブ層など幾つかのサブ層として構成されてよい。次いで、有機エレクトロルミネッセンス層１０２は、例えば、ストライプを形成するマスク又は１セットのマスクを使用して陰極１０１上に配置される。有機エレクトロルミネッセンス層１０２は、一般的に、特に、陰極と接触する有機の電子注入型サブ層と、実際の有機エレクトロンルミネッセンスサブ層と、陽極に接触する穴注入型サブ層とからなる数多のサブ層として構成される。各エレクトロンルミネッセンスセルで陰極と交差するために配置される並列な陽極のアレイを形成するためにエッチングされるＩＴＯ（インジウム−スズ−オキサイド）に基づいた透明な最上層１０３は、有機エレクトロンルミネッセンス層のストライプ上に置かれる。
【００３１】
　図２を参照するに、障壁を備える“前方発光”パネルの場合、陰極として作用する電極１０１のストライプは、すでに記載のように、基板１００に配置される。次いで、電極１０１又は陰極のストライプに対するアクセスを与え、この場合は長方形のギャップ（又は覆われていないエリア）を留める電気的な絶縁層１０４が配置される。次に、真っ直ぐで平行な分離障壁１０５のアレイが生成され、それらアレイは絶縁層１０４の覆われていないエリア又はギャップ間で陰極に対して垂直に配位されている。分離障壁を製造する可能な方法は、米国特許第５，７０１，０５５号明細書（パイオニア）に記載されている。それらの障壁は絶縁物質から成る。次いで、有機エレクトロルミネッセンス層１０２は、ギャップ又は覆われていないエリアの陰極に配置され、ＩＴＯ（インジウム−スズ−オキサイド）に基づいた電極の最上層１０３は、分離障壁を備えない“前方発光”パネルの背面プレートを製造する場合に記載したように、有機エレクトロルミネッセンス層１０２に配置される。
【００３２】
　分離障壁１０５は、電気的な利点を有し、かかる障壁のいずれかの側に位置するエレクトロルミネッセンスセルを光学上絶縁する。
【００３３】
　様々な従来方法は、上に記載の多様な層を配置するために使用され、例えば、マスキングでの真空配置、スピンコーティング配置及び／又はインクジェット印刷を使用する。
【００３４】
　発光セルの発光性領域１１２は、電極の列とカラムの交差によって慣例通りに確定される。
【００３５】
　本発明による孔を有する同一パネルの正面プレート１０６の製造は、図３を参照して記載される。正面プレート１０６は、エレクトロルミネッセンスセルによって放射される光が通過するように透明であり、点線で示される少数の代表的なセルの発光性領域１１２は、パネルのアクティブな発光表面、換言すると、すべてのエレクトロルミネッセンスセルを含んでいる表面を覆っている。一般的に、かかるプレートは、酸素及び／又は水蒸気などの成分に対して不透性であり、光の通過を妨害しない必要性を満たす物質である、ガラスから成る。しかしながら、前述の要求を満たすことができれば、任意のタイプの透明な物質を使用できる。ガラスはまた、作業しやすく、耐ひっかき性で低コストである、別の利点を有する。正面プレート１０６は、パネルのアクティブな発光エリアと呼ばれる、最小限のエリアを有する、パネルの発光表面を覆うような上に記載の大きさを有し、一般的に、正面プレート１０６のエリアは、パネルのアクティブな発光エリアよりも大型である。
【００３６】
　本発明によると、孔１０７はプレート１０６の内部表面に提供されて、周知のエッチング、リソグラフィー又は成型方法によって生成され、次いで吸収剤１０８で満たされる。本発明による孔をガラスプレートに生成する工程は、パネルを構成する他の部分とは無関係に、工程開始の初期段階に孔１０７及び吸収剤１０８の調製が組み込まれる。孔１０７は、パネルの背面プレートに正面プレートを適用した後、有機エレクトロルミネッセンスセル１０２に対応する発光性領域１１２間で孔が非発光性領域の反対になるような手法でかかる正面プレートに提供される。測定及び調整手段は、それら自身が周知であるので、ここには記載しない。
【００３７】
　したがって、孔１０７が発光性領域１１２を全く浸食しないので、これは有利にセルによって放射された光の通過のどんな妨害も回避する。
【００３８】
　孔１０７の大きさは、本発明が改良を提案する有効寿命の画像ディスプレイパネルを有するように、少量の酸素及び／又は水蒸気から有機エレクトロルミネッセンスセル１０２を保護するために必要とされる吸収剤１０８の量によって選択される。正面プレート１０６の内部表面におけるセル１０７の規模の最大限界は、孔１０７が正面プレート１０６による光の通過を妨害するべきでない、２つの隣接するエレクトロルミネッセンスセルの発光性領域１１２間に位置する非発光性領域によって確定される。
【００３９】
　本発明によると、孔１０７のアレイは、基板と正面プレートとの間の密封を維持する正面プレート又は側面領域１０９の壁、すなわち基板１００によりもたらされるかもしれない、少量の酸素及び／水蒸気を吸収するように、選択された吸収剤１０８を含み、及び／又は密封空間１１１の内部物質の劣化が、特に分離障壁１０５のガス放出により現れる。
【００４０】
　シリカゲル粉末の形態で、例えば、より一般的には、アルカリ金属酸化物の属から、アルカリ土類金属酸化物の属から、金属硫酸塩或いはハロゲン化物の属から、或いは他に過塩素酸塩の属からの粉末、固体又は薄膜形態の合成物で吸収剤又はデシケーターを使用することは可能である。
【００４１】
　孔又は溝に導入された吸収剤１０８は、この吸収剤の一部が、パネルの有効寿命を通じて密封空間１１１を汚染することができないように、その孔又は溝に固定されなければならない。多孔性の透明な接着フィルム１１０は、正面プレート内部表面のすべて又は部分的な表面に適用されてよく、適所に固定された孔又は溝１０７に含まれる吸収剤１０８を保持するフィルム１１０を維持する。
【００４２】
　選択された実施態様に依存して、透明な多孔性の接着フィルム１１０は、パネル内部表面の全表面を占有するか、又は、例えば、第四の実施態様の場合、各孔又は溝１０７の吸収剤１０８は、吸収剤が占有する、孔又は溝１０７の適所で吸収剤１０８を保持するために十分なサイズの多孔性の透明な接着フィルム１１０によって、適所に保持される。
【００４３】
　変形によって、分離障壁１０５を備えた背面プレートを有する前方発光パネルの場合、孔又は溝１０７に含まれる固体状の吸収剤は、別の固定手段に頼らないで、孔又は溝１０７に面する分離障壁１０５の最上部との接触によって孔又は溝１０７にトラップされて保持される。この変形は、図５に概略して示される。
【００４４】
　ここに記載される数多の限定しない実施態様により、孔又はセル１０７は、非発光性領域に面するプレートに提供される。
【実施例１】
【００４５】
　図３を参照するに、各孔１０７は、セルの全く同一の列及び／又は全く同一のカラムの２つの隣接するエレクトロルミネッセンスセル間で、上に記載の手段によって位置付けされている。図３は、２つの隣接する列の２つのセル間の孔と、２つの隣接するカラムの２つのセル間の孔が存在する場合をより詳細に例示する。
【実施例２】
【００４６】
　図６を参照するに、各孔１０７は、２つの横に隣接するエレクトロルミネッセンスセル１０２間に位置づけされる。換言すると、セルの同一の列又は同一のカラムのいずれにも属していない、２つの隣接するエレクトロルミネッセンスセル１０２間に位置づけされる。
【実施例３】
【００４７】
　図７を参照するに、第一及び第二実施例にしたがって、孔１０７は、パネルのアクティブ表面の全体にわたって、正面プレートの内部表面に位置づけされる。ここで、列又はカラムの最後の１つ以外の各エレクトロルミネッセンスセル１０２が８つの孔によって囲まれるような方法で位置づけされる孔１０７のアレイがある。
【実施例４】
【００４８】
　図８を参照するに、２つのエレクトロルミネッセンスセル間に位置づけられている孔１０７に代わって、孔１０７が２つ又は３つ又は４つ或いはｎ個のエレクトロルミネッセンスセルの２つのグループ間に位置づけられている限定されない実施例を除いて、前述のいずれか一つの実施例によって孔１０７が位置づけられる、正面プレート１０６を示している。
【実施例５】
【００４９】
　図９を参照するに、第一、第二又は第三実施例と同様に、孔１０７は溝を形成し、セルの２つの隣接する列及び／又は２つの隣接するカラム間に位置づけられる。各溝１０７が幅として、アクティブな発光表面を有する場合、エレクトロルミネッセンスセルの発光領域１１２のチェッカーボードパターンは、パネルのアクティブな発光エリア全体にわたって得られる。
【実施例６】
【００５０】
　この実施例において、表面プレートは、米国特許第６，０９１，３８４号明細書及び米国特許第６，２２９，１６０号明細書に記載のように、反射により操作する光抽出器を備えて提供される。図１０を参照するに、かかるプレートは、吸収剤１０８で部分的に満たされる孔が抽出器間に留まる、抽出器１１３のアレイから形成される。各抽出器の入り口は、特に、エレクトロルミネッセンス層の要素１０３である、セルの発光性領域と一致する。合致したインデックスを有する接着層１１４は、発光性領域と抽出器の入力との間のリンクとしての役割を行い、図に示されるように孔内に延在する。
【００５１】
　最後に、孔又は溝１０７は、前述のいずれか一つの実施例によって、正面プレート１０６による各有機エレクトロルミネッセンスセル１０２の発光性領域１１２によって生じる光の通過を妨害せずに、吸収剤の作用が必要とされる領域で正面プレート１０６の内部表面に公正に位置づけされる。
【００５２】
　次いで、本発明によるエレクトロルミネッセンスパネルは、孔又は溝１０７が実際に２つの隣接するエレクトロルミネッセンスセルの発光性領域１１２間で非発光性領域に面する領域を占有し、正面プレートの面が有機エレクトロルミネッセンスセル１０２を含む背面プレートの面の方へ向かって回転している孔又は溝１０７を備えて供給されるような手法で分離障壁を備えても、備えなくてもよい背面プレートにおいて吸収剤で満たされる孔又は溝１０７を備えて公正に提供される、正面プレート１０６を正確に調節することによって得られる。
【００５３】
　背面プレートに関して正面プレート１０６の調節が上に記載の特徴を有する場合、２つのプレートのエッジは、例えば、グローブボックス中で、制御された大気下において周知の手段で密封されるか、又は結合され、不活性ガスは、密封空間１１１に導入されて、生成される。
【００５４】
　限定されない実施例のように、電極のラインとカラムの交点によって確定される、発光セル又は発光性領域１１２のエリアは、約８０μｍ（ミクロン）ｘ２４０μｍであり、つまり、１９２００μｍ２である。
【００５５】
　電極のいずれか一つのカラムの２つの隣接するセルの発光性領域のエッジ間の距離は、従来どおりに２０μｍであり、電極のいずれか一つの列の２つの隣接するカラムの発光性領域のエッジ間の距離は、従来どおりに６０μｍである。したがって、セルの発光性領域を取り囲む非発光性領域のエリアは、従来どおりに、
　（３００ｘ１００）−（８０ｘ２４０）＝１０８００μｍ２である。
【００５６】
　セルにおいて、正面プレート１０６の内部表面において吸収剤１０８を含有する孔又は溝１０７が占有できる、最大エリアは、したがって、非発光性エリア、つまり、１０８００μｍ２に等しい。
【００５７】
　分離障壁１０５が存在する場合、障壁のエッジとセルの発光性領域のエッジとの間の距離は、従来どおりに２０μｍである。したがって、覆われていないか、又はセルのいずれかの側の分離障壁と接触する、発光セルを取り囲む非発光性領域のエリアは、従来どおりに、
　（２８０ｘ１００）−（８０ｘ２４０）＝８８００μｍ２である。
【００５８】
　各セルにおいて、正面プレート１０６の内部表面において吸収剤１０８を含有するセル又は孔１０７が占有できる最大エリアは、分離障壁１０５が存在する場合を除いて、非発光性エリア、つまり、１０８００μｍ２に等しいままであり、分離障壁に面するか、又は接触する約２０００μｍ２であるこのエリアの部分が吸収剤を含有する孔又はセルを含む場合に、分離障壁１０５の構成物質の任意のガス放出から生じる少量の水蒸気及び／又は酸素を吸収するために、かかる吸収剤は理想的に配置される。次いで、有機エレクトロルミネッセンス層１０２に近接してどんなに少量の酸素又は水蒸気を吸収するために、吸収剤１０８を含有する孔又は溝１０７を含むことができる約８８００μｍ２である非発光性エリアが存在するままである。
【００５９】
　正面プレート１０６の厚さは、一般的に、７００μｍ乃至１０００μｍである。
【００６０】
　本発明の利点を下記に要約する。
【００６１】
　−有機エレクトロルミネッセンスセル又は有機発光ダイオード１０２の有効寿命は、正面プレート１０６の内部表面におけるセルの発光性領域１１２間に吸収剤１０８の存在によって改良され、
　−吸収剤１０８は、吸収剤の作用が必要な際に光の通過を妨害しない領域に配置され、
　−吸収剤１０８は、パネルのアクティブな表面全体にわたって均一、且つ、均質で分配され、
　−孔又は溝１０７は正面プレートでエッチングされ、製造工程の初期段階において吸収剤１０８で満たされ、それによって、コストの著しい増加を招かずに有機発光ダイオードや、ポリマー発光ダイオード又はより一般的に発光ダイオードタイプである、エレクトロルミネッセンスセルを含む背面プレートの製造工程を修正せずに、
　−吸収剤１０８は分離障壁１０５に組み込まれない。
【図面の簡単な説明】
【００６２】
【図１】正面プレートの適用以前に、分離障壁を備えない、本発明による“前方発光”有機エレクトロルミネッセンスパネルの背面プレートの実施態様を例示する図である。
【図２】正面プレートの適用以前に、分離障壁を備えて、本発明による“前方発光”有機エレクトロルミネッセンスパネルの背面プレートの実施態様を例示する図である。
【図３】本発明による有機エレクトロルミネッセンスパネルの正面プレートの第一実施態様を例示する図である。
【図４】図３の正面プレートで得られる、本発明による“前方発光”有機エレクトロルミネッセンスパネルを例示する図である。
【図５】図１及び２の背面プレートで得られる、本発明による“前方発光”有機エレクトロルミネッセンスパネルを例示する図である。
【図６】本発明の異なる属の実施態様による正面プレートを例示する図である。
【図７】本発明の異なる属の実施態様による正面プレートを例示する図である。
【図８】本発明の異なる属の実施態様による正面プレートを例示する図である。
【図９】本発明の異なる属の実施態様による正面プレートを例示する図である。
【図１０】本発明の異なる属の実施態様による正面プレートを例示する図である。
【符号の説明】
【００６３】
　１００　基板
　１０１　電極
　１０２　有機エレクトロルミネッセンス層（又は、セル）
　１０３　最上層
　１０４　絶縁層
　１０５　分離障壁
　１０６　正面プレート
　１０７　孔（又は、溝）
　１０８　吸収剤
　１０９　側面領域
　１１０　接着フィルム
　１１１　密封空間
　１１２　発光性領域
　１１３　抽出器
　１１４　接着層
【図１】
2004139987.tif 000003
【図２】
2004139987.tif 000004
【図３】
2004139987.tif 000005
【図４】
2004139987.tif 000006
【図５】
2004139987.tif 000007
【図６】
2004139987.tif 000008
【図７】
2004139987.tif 000009
【図８】
2004139987.tif 000010
【図９】
2004139987.tif 000011
【図１０】
2004139987.tif 000012